(57)【要約】【課題】  商品等の費用の現金化のための業者側の負担を軽減することが可能な応募受付システム、方法、および応募台紙を提供する。【解決手段】  応募券１ａ、２ａ、および応募券貼付欄１ｂ、２ｂを印刷するとともに、各応募券に固有のコードを隠蔽する銀ペースト１ｃ、２ｃを塗布した応募台紙１、２を各号に綴じ込んだ状態で各号の雑誌等を販売する。雑誌の購入者は、銀ペーストを削ってコードを知り、そのコードを利用してＷＥＢサイト上で商品プレゼント等への応募を行う。ＷＥＢサイト側では、入力されたコードの照合を行った後、一部負担費用の支払方法等の設定を応募者に行わせる。【選択図】  図１
2005099979.tif 000002
【特許請求の範囲】
【請求項１】
発行された本の各号別に付加されたコードを利用して、商品取得のための応募を受け付けるシステムであって、
前記本の各号に付加したコードと同一のコードを記録した発行番号データベースと、
商品の送付先および費用の支払方法を記録する送付先データベースと、を有すると共に、
応募者端末から送信されてきた複数の各コードが、前記発行番号データベースに記録されているかどうかを照合する機能、送信されてきた各コードが発行番号データベースに記録されている場合に、応募者端末に、送付先入力画面、代金支払方法設定画面等の画面を提示するとともに、前記送付先入力画面で入力された情報を、商品送付先として前記送付先データベースに記録し、前記支払方法設定画面で設定された支払方法を前記送付先データベース記録する応募受付サーバと、
を有することを特徴とする応募受付システム。
【請求項２】
応募者が利用する応募者端末と、当該応募者端末とネットワークを介して接続されたサーバコンピュータである応募受付サーバを利用して、応募の受付を行う方法であって、
発行された本の各号別に付加されたコードを前記応募者端末から送信する段階と、
前記送信されてきた各号別の複数のコードを前記応募受付サーバが受信する段階と、
前記受信した各号別のコードそれぞれが、あらかじめ各号別に設定された発行済みコードと一致するかどうかを照合する段階と、
前記照合の結果、全てのコードが一致する場合に、送付先入力画面、代金支払手続設定画面等の他の画面に移行するとともに、前記送付先入力画面で入力された情報、商品送付先として記録し、前記支払方法設定画面で設定された支払方法を記録する段階と、
を有することを特徴とする応募受付方法。
【請求項３】
１枚の応募券を有するとともに、１以上の応募券貼付欄が設けられていることを特徴とする応募台紙。
【請求項４】
前記応募券には、当該応募券を特定するコードが印刷されているとともに、当該コードを隠蔽するために銀ペーストが塗布されていることを特徴とする請求項３に記載の応募台紙。
【請求項５】
１枚の応募券を有するとともに、１以上の応募券貼付欄が設けられた応募台紙が、綴じ込まれてなることを特徴とする定期刊行物。
【発明の詳細な説明】
【技術分野】
【０００１】
本発明は、雑誌等の定期刊行物を利用して、各種キャンペーンを行うための技術に関する。
【背景技術】
【０００２】
従来より、商品の販売促進のため、購入者に景品を与える等のキャンペーンが行われている。最近では、インターネットを利用してキャンペーンの実施も行われてきている（例えば、特許文献１参照）。
【特許文献１】特開平６−２９０２９６号公報  一方、出版社においては、雑誌の販売促進のため、雑誌購入者に対する応募者全員プレゼントキャンペーン等がふるくから行われている。全員にプレゼントする場合、その費用負担が膨大なものとなるため、応募者に費用の一部を負担してもらうことがある。この場合、応募者は、費用負担分に相当する額の切手を封筒に同封して、出版社に郵送することが一般的である。この応募切手は、出版社によって、郵便局で５％の手数料にて現金化されている。
【０００３】
このようなキャンペーンにおいては、市販されていない限定品がプレゼントされることが多く、雑誌購入の動機付けになっている。そのため、雑誌を購入した証明として、応募券等を雑誌に添付しており、応募者は、この応募券と費用負担用の切手を出版社に送付することになる。
【発明の開示】
【発明が解決しようとする課題】
【０００４】
しかしながら、上記切手の現金化のためには、同封分の切手の金額の確認や、現金化するために切手を台紙貼りすることが必要となり、出版社等の業者側の大きな負担となっている。
【０００５】
そこで、本発明は、上記のような商品等の費用の現金化のための業者側の負担を軽減することが可能な応募受付システム、方法、および応募台紙を提供することを課題とする。
【課題を解決するための手段】
【０００６】
上記課題を解決するため、本発明では、応募者が利用する応募者端末と、当該応募者端末とネットワークを介して接続されたサーバコンピュータである応募受付サーバを利用して、応募の受付を行う方法として、発行された本の各号別に付加されたコードを前記応募者端末から送信する段階と、前記送信されてきた各号別の複数のコードを前記応募受付サーバが受信する段階と、前記受信した各号別のコードそれぞれが、あらかじめ各号別に設定された発行済みコードと一致するかどうかを照合する段階と、前記照合の結果、全てのコードが一致する場合に、送付先入力画面、支払方法設定画面等の他の画面に移行するとともに、前記送付先入力画面で入力された情報を、商品送付先として記録し、前記支払方法設定画面で設定された支払方法を記録する段階を実行するようにしたことを特徴とする。
【発明の効果】
【０００７】
本発明によれば、複数号の雑誌等に付加されたコードを利用して、応募受付サーバが、そのコードが発行済みのコードであるかどうかを照合し、入力されたコードが発行済みコードと一致する場合に、応募を受け付けるようにしたので、正当な雑誌等の購入者に対してのみ応募を受け付けることが可能となると共に、従来のように業者側が費用を現金化する負担をなくすことができるという効果を奏する。
【発明を実施するための最良の形態】
【０００８】
以下、本発明の好適な実施形態について、図面を参照して詳細に説明する。
（雑誌および応募台紙）
まず、本発明で利用する応募台紙について説明する。本実施形態では、定期的に発行される雑誌において、連続した２号で１回の応募が可能なキャンペーンについて説明する。図１は、応募台紙の一例を示す図であり、図１（ａ）は、１号に添付される応募台紙、図１（ｂ）は、２号に添付される応募台紙を示している。図１（ａ）に示すように、１号分の応募台紙１には、１号の応募券１ａが印刷されているとともに、応募券２号の貼付欄１ｂが印刷されている。また、応募券１ａには、応募券を特定するためのコードとしてシリアルＮｏ．が印刷されているとともに、コードを隠すために、銀ペースト１ｃが塗布されている。また、図１（ｂ）に示すように、２号分の応募台紙２には、２号の応募券２ａが印刷されているとともに、応募券２号の貼付欄２ｂが印刷されている。また、応募券２ａには、応募券を特定するためのコードとしてシリアルＮｏ．が印刷されているとともに、コードを隠すために、銀ペースト２ｃが塗布されている。図１（ａ）に示した１号分の応募台紙１は、１号の雑誌に綴じ込まれ、また、図１（ｂ）に示した２号分の応募台紙２は、２号の雑誌に綴じ込まれ、それぞれ販売される。なお、応募台紙の材質、銀ペーストの材質等は、従来周知のものを利用することができる。
【０００９】
雑誌１号、雑誌２号を共に購入し、応募券１ａ、応募券２ａを手に入れた購入者は、銀ペースト１ｃ、２ｃをそれぞれ削り、１号コード１ｄ、2号コード２ｄをそれぞれ出現させる。このときの状態を図２に示す。
【００１０】
図２に示した応募券に印刷されたコードを利用した応募について説明する。図３は、応募受付システムの一例を示す機能ブロック図である。図３において、１０は応募受付サーバ、２０は発行番号ＤＢ（データベース）、３０は送付先ＤＢ（データベース）、４０は応募者端末、５０はネットワークである。応募受付サーバ１０は、業者側が管理するサーバコンピュータであり、応募を受け付けるサイトを開設し、応募者端末４０と送受信を行うＷＥＢサーバとしての機能、発行番号ＤＢ２０、送付先ＤＢ３０を管理するデータベースサーバとしての機能を有している。
【００１１】
発行番号ＤＢ２０は、応募用のコードとして発行したシリアルＮｏ．を記録したデータベースである。ここで、発行番号ＤＢ２０に記録された情報の一例を図４（ａ）に示す。図４（ａ）に示すように、発行番号ＤＢ２０には、各号ごとの発行済みのコードが全て記録されている。送付先ＤＢ３０は、応募の受付が正しく完了した各応募者について、商品の送付先を記録したデータベースである。ここで、送付先ＤＢ３０に記録された情報の一例を図４（ｂ）に示す。図４（ｂ）に示すように、送付先ＤＢ３０には、商品の送付先住所、氏名、および一部負担費用の支払方法が記録されている。支払方法がクレジット決済またはプリペイド払いの場合には、クレジットカード、プリペイドカードの番号も記録されている。
【００１２】
応募者端末４０は、応募者が応募に利用する端末装置であり、パソコン、携帯電話、ＰＤＡ（携帯情報端末）等、インターネットにアクセス可能な種々の機器で実現される。ネットワーク５０は、応募受付サーバ１０と応募者端末４０を結ぶ通信回線であり、物理的には有線であっても無線であっても構わない。
【００１３】
図２に示したような応募券、および図３に示した応募受付システムを利用して応募を行う場合、まず、雑誌の購入者である応募者は、応募受付用のＷＥＢサイトにアクセスする。このＷＥＢサイトにアクセスするためのアドレスは、雑誌もしくは応募台紙１、２に印刷しておけば良い。購入者が、応募受付用のＷＥＢサイトにアクセスすると、応募受付サーバ１０は、図５に示すようなコード入力画面を、応募者端末４０に送信し、画面に表示させる。応募者は、１号コード入力欄に１号コードを、２号コード入力欄に2号コードをそれぞれ入力して、送信ボタンをクリックする。すると、入力された２つのコードは、応募受付サーバ１０に送信される。応募受付サーバ１０では、受信した２つのコードそれぞれと、発行番号ＤＢ２０に記録された発行済みコードとを照合する。照合の結果、２つのコードのいずれか一方が、発行済みコードと一致しない場合は、応募を受け付けることができない旨の情報を応募者端末４０に送信し、画面上に表示させる。一方、２つのコードともに発行済みコードと一致した場合には、限定品の送付先を入力するための送付先入力画面を応募者端末４０に表示させる。例えば、図２に示したように、応募券１号のコードが「G2pTQyS471」、応募券２号のコードが「7HdX2RLN8S」である場合、図４（ａ）に示したように、発行番号ＤＢ２０にも、１号のコードとして「G2pTQyS471」、２号のコードとして「7HdX2RLN8S」が記録されているので、送付先入力画面が応募者端末４０に表示されることになる。
【００１４】
送付先入力画面に、応募者の住所等の送付先を入力した後、送信する旨の指示を与えると、送付先情報が応募受付サーバ１０に送信される。すると、応募受付サーバ１０は、支払い方法の設定画面を送信し、応募者端末４０に表示させる。本実施形態では、支払い方法として、「クレジットカード決済」「プリペイドカード払い」などのオンライン決済の他、「代金引換え」などが選択可能となっている。ここで、「代金引換え」を選択すると、送付先情報とともに応募受付サーバ１０に一時保存される。一方、「クレジットカード決済」を選択すると、クレジットカードＮｏ．の入力画面が表示され、クレジットカードＮｏ．を入力することになる。入力されたクレジットカードＮｏ．が応募受付サーバ１０に送信されると、応募受付サーバ１０は、クレジットカードＮｏ．を、送付先情報とともに一時保存する。また、「プリペイドカード払い」を選択した場合は、プリペイドカードＮｏ．の入力画面が表示され、プリペイドカードＮｏ．を入力することになる。この「プリペイドカードＮｏ．」とは、購入したプリペドカードを特定するための番号である。入力されたプリペイドカードＮｏ．が応募受付サーバ１０に送信されると、応募受付サーバ１０は、プリペイドカードＮｏ．を、送付先情報とともに一時保存する。応募者が、応募決定ボタンをクリックすると、一時保存されていた送付先情報、支払い方法、カードＮｏ．等が送付先ＤＢ３０に登録される。登録された情報のうち、クレジットカードＮｏ．については、クレジット会社等に別途送信されて与信処理が行われる。
【００１５】
限定品の送付は、送付先ＤＢ３０に登録された情報に従って行われることになる。「クレジットカード決済」「プリペイトカード払い」の場合は、送付するだけであるが、「代金引換え」の場合は、送付時に配達人が代金を受け取ることになる。
【００１６】
（郵送による応募）
図１に示した応募台紙を利用して、郵送で応募することも可能である。続いて、郵送で応募する場合について説明する。郵送の場合、まず、図１（ａ）に示した応募台紙１の応募券貼付欄１ｂに、応募台紙２から切離した応募券２ａを貼り付けるか、図１（ｂ）に示した応募台紙２の応募券貼付欄２ｂに、応募台紙１から切離した応募券１ａを貼り付ける。そして、１枚の応募台紙に２つの応募券が印刷または貼付された状態で、その応募台紙を郵送で業者に送付する。この際、銀ペースト１ｃおよび銀ペースト２ｃは、削っていない状態としておく。
【００１７】
業者では、郵送されてきた応募台紙に２つの応募券が印刷または貼付されており、両方の銀ペーストが削られていない場合は、有効な応募として受け付ける。銀ペーストのいずれか一方が削られている場合は、応募は無効となる。これは、ＷＥＢサイトを利用した応募との二重応募を防止するためである。ＷＥＢサイトで応募する場合は、コードを知らなければならないので銀ペーストを削る必要があるが、銀ペーストを削ると郵送での応募ができない。逆に、郵送で応募する場合は、銀ペーストが削られていないことが条件なので、コードを知ることができず、ＷＥＢサイトで応募することができない。このようにして、ＷＥＢサイトと郵送の二重応募を防止しているのである。
【００１８】
以上、本発明の好適な実施形態について説明したが、本発明は上記実施形態に限定されず、種々の変形が可能である。例えば、上記実施形態では、２つの号を購入することにより応募が可能となる場合について説明したが、３つ以上の号を購入することにより応募が可能となるようにしても良い。この場合、各号に図１に示したような応募台紙を綴じ込むことになるが、例えば、３つの号で応募を可能とする場合には、１つの応募台紙に１つの応募券を印刷しておくとともに、２つの応募券貼付欄を印刷しておく。
【００１９】
また、雑誌等の本に限らず、食品の包装に応募券を印刷しておくことにより、食品等に適用することも可能である。
【図面の簡単な説明】
【００２０】
【図１】応募台紙の一例を示す図である。
【図２】銀ペーストを剥した際の応募券の状態を示す図である。
【図３】応募受付システムの一例を示す機能ブロック図である。
【図４】発行番号ＤＢ２０、送付先ＤＢ３０に記録された情報の一例を示す図である。
【図５】コード入力画面を示す図である。
【符号の説明】
【００２１】
１、２・・・応募台紙
１ａ、２ａ・・・応募券
１ｂ、２ｂ・・・応募券貼付欄
１ｃ、２ｃ・・・銀ペースト
１ｄ、２ｄ・・・応募コード
１０・・・応募受付サーバ
２０・・・発行番号ＤＢ（データベース）
３０・・・送付先ＤＢ（データベース）
４０・・・応募者端末
５０・・・ネットワーク
【図１】
2005099979.tif 000003
【図２】
2005099979.tif 000004
【図３】
2005099979.tif 000005
【図４】
2005099979.tif 000006
【図５】
2005099979.tif 000007